(57)【要約】  本発明は、ランプ（２５）、具体的には、自動車用ランプのためのランプソケット（１）に関し、ヘッドランプ、照明器具、又は、類似物にランプを配置するための接続領域（１２）と、ランプソケットにバルブ（２７）を配置するための中空筒形の収容区画（３）と、収容区画（３）内に配置された筒形の金属スリーブ（４）とを含む。高い耐熱を有する単純且つ安定的な設計のランプソケット（１）を提供するために、金属スリーブ（４）上に配置されるフランジ（５）が、収容区画（３）の上部縁部（６）から突出する突起（７）上に位置する。
2007517367.tif 000002
【特許請求の範囲】
【請求項１】
ヘッドランプ、照明器具、又は、類似物にランプを配置するための接続領域と、
当該ランプソケットにバルブを配置するための中空筒形の収容区画と、
該収容区画内に配置された筒形の金属スリーブとを含む、
ランプ、具体的には、自動車用ランプのためのランプソケットであって、
前記金属スリーブに配置されたフランジが、前記収容区画の上部縁部から突出する突起の上に支持されることを特徴とするランプソケット。
【請求項２】
前記金属スリーブのベースが、前記収容区画の底面に位置することを特徴とする、請求項１に記載のランプソケット。
【請求項３】
前記収容区画は、内壁から突出するフィンを有することを特徴とする、請求項１に記載のランプソケット。
【請求項４】
前記バルブに接続される中間リングを固着するために、前記フランジは、少なくとも１つの、好ましくは３つの接触領域を有し、各接触領域は、前記フランジの上側から突出するカムを有することを特徴とする、上記請求項のうちいずれか１項に記載のランプソケット。
【請求項５】
前記上方縁部は、前記金属スリーブの前記接触領域の領域内に切取りを有することを特徴とする、上記請求項のうちいずれか１項に記載のランプソケット。
【請求項６】
金属スリーブは、前記収容区画の前記底面から前記金属スリーブの前記ベース内の対応する開口を通じて突出するピンによって、前記収容区画内に固着され、且つ、それらの中にリベット留めされる、好ましくは熱リベット留めされることを特徴とする、上記請求項のうちいずれか１項に記載のランプソケット。
【請求項７】
前記金属スリーブの前記ベースは、前記底面上に配置される固着バネが、その所定位置に固定されるよう設計されることを特徴とする、上記請求項のうちいずれか１項に記載のランプソケット。
【請求項８】
バルブと、
前記バルブに接続された上記請求項のうちいずれか１項に記載に記載されたランプソケットとを含む、
ランプ。
【請求項９】
反射器と、
該反射器上に固着された請求項８に記載のランプとを含み、
前記バルブは、前記反射器内に配置され、
前記ランプの前記接続領域は、前記反射器ハウジングの外側に主として配置された、
自動車用ヘッドランプ。
【発明の詳細な説明】
【技術分野】
【０００１】
本発明は、ヘッドランプ、照明器具、又は、類似物にランプを配置するための接続領域と、ランプソケットにバルブを配置するための中空筒形の収容区画と、収容区画内に配置された筒形の金属スリーブとを含むランプ、具体的には、自動車用ランプのためのランプソケットに関する。
【背景技術】
【０００２】
上述の種類の既知のランプは、実際の光発生素子を包含し、且つ、例えば、１つ又はそれ以上の白熱コイルを備えるガラス管として設計されたバルブを有する。バルブをランプソケットに接続するために、バルブは、金属製の保持装置、例えば、所謂中間リングに接続され、それはランプソケットの収容区画内に配置される金属スリーブのフランジに一体的に接続され、収容区画は対応する中空円筒形状である。ブッシュが収容区画内に設けられ、バルブから突出する接点がブッシュを通じて接続領域内に配置される端子に導かれ、それによって、ランプの電気接触が構築される。
【０００３】
反射器内への据付けのための上述の種類の自動車用ランプが、米国特許第５，９５７，５６９号に記載されている。バルブは金属スリーブに接続された金属保持部内に固定され、次いで、金属スリーブはプラスチックソケット上に固着される。ランプの電気端子がプラスチック製ランプソケットの接続領域内に設けられる。金属スリーブはランプソケット上に固定され、ランプソケットの突出領域は金属スリーブの対応部分によってバルブから遮蔽される。
【０００４】
プラスチック製ランプソケットを含む自動車用ランプにおける１つの問題は、プラスチックへの熱伝達であり、熱はバルブによって発生する。高温は、プラスチック部分の分解、蒸発、及び／又は、ガス発生を招く。
【０００５】
最近起こっているヘッドランプハウジングの小型化の増大は、この問題を増幅する。蒸気が反射器面上に沈澱する可視的蒸発は、蒸発の程度に依存して、光学素子のみならず−特に透明ガラスにおいて−ヘッドランプの機能にも有害に影響する。
【０００６】
この問題を解決するために、耐熱の増大を備える特殊プラスチックが時折用いられる。これは上述の不利点を阻止しないが、該プラスチックの使用は極めて高価である。部分的にだけ特殊プラスチックから成るプラスチック製ソケットの使用はコストを削減するが、ソケットの複数パート設計の故に、組立ての複雑さの増大を招き、後者は、一体型ランプソケットと比べ、機械的安定性を低減する。
【発明の開示】
【発明が解決しようとする課題】
【０００７】
高い耐熱を有する簡単且つ安定的な設計のランプソケットを提供することが本発明の目的である。
【課題を解決するための手段】
【０００８】
本発明は、請求項１に請求されるようなランプソケットによって、並びに、請求項８に請求されるようなランプによって、この目的を達成する。その上、本目的は、請求項９に請求されるような自動車用ヘッドランプによって達成される。従属請求項は、本発明の有利な実施態様に関する。
【０００９】
本発明に従ったランプソケットは、電気端子を備える接続領域を有する。後者は、本発明に従ったランプソケットを用いて製造されるランプを、ライト、ヘッドランプ、又は、類似物の対応するコネクタユニット内に配置するために用いられる。
【００１０】
接続領域の上に配置されるのは、中空筒状に設計され且つランプソケットから離れた上端部で開放する収容区画であり、対応する筒状に設計された金属スリーブが、収容区画内に配置され、金属スリーブ上に配置されたフランジが、収容区画の上方縁部に対して位置する。この場合には、構成要素の相対的配置を記載するのに用いられる「上」及び「下」並びに「上方」及び「下方」のような用語は、ランプソケット又はランプの直立位置に関係し、収容区画又はバルブは頂部に配置される。これらの参照は、より容易な理解に資するだけであり、限定するものと考えられることは全く意図されていない。
【００１１】
本発明に従ったランプソケットの１つの特徴的な機能は、金属スリーブ上に配置されるフランジが、収容区画の上方縁部全体に位置せず、むしろ上方縁部から突出する突起の上に位置することである。よって、金属スリーブから収容区画への熱伝達は、フランジが上方縁部の全体に位置する場合に比べ、少なくともフランジの領域において大幅に削減される。この場合には、バルブに接続される金属中間リングとの直接的な接触の故に、フランジは特に非常に加熱される。本発明は、特に高い熱負荷に晒されるのが主として収容区画の上部であるという知識に基づいている。それが反射機内に取り付けられるとき、本発明に従ったランプソケットを用いて製造されるランプは、これらの上方領域が反射器ハウジングに極めて近い或いはその内部にさえある状態で位置する。従って、そこに存在する高温及び貧弱な熱放散の故に、これらの場所は熱の特に高い作用に晒される。
【００１２】
それに反して、中空筒状の収容区画の下方端部を形成する底面は、ヘッドランプの反射器ハウジングの外側に位置し、そこでは、より一層低い温度が優勢である。本発明に従ったランプソケットの設計の故に、熱伝達は、収容区画の上方縁部を介しては生ぜず、むしろ収容区画の底面のより低温領域において生じる。底面の領域において金属スリーブからランプソケットへの特に良好な熱伝達を保証するために、本発明の１つの有利な実施態様によれば、金属スリーブのベースが収容区画の底面に対して位置する。この支承は、好ましくは全面に亘って行われ、その結果、熱が接触領域に亘って均一に分配されるようにランプソケットに伝達され、その結果、具体的には、ランプソケット内の熱応力が追加的に防止される。
【００１３】
上方縁部から突出した突起に対して位置する金属スリーブのフランジを備える、本発明に従ったランプソケットの設計だけに基づいて、ランプソケット、具体的には、収容区画の上方領域は、分解、蒸発、又は、ガス発生を引き起こさない範囲でのみ熱に晒される。
【００１４】
本発明の特に有利な実施態様によれば、収容区画が内壁から突出するリブを有し、リブは金属スリーブの外壁に対して位置するという点で、収容区画への熱伝達の追加的な減少を達成し得る。
【００１５】
金属スリーブが収容区画の内壁に対して完全に位置するときと異なり、この場合には、金属スリーブから収容区画の壁領域への熱伝達は追加的に削減されるので、金属スリーブからの熱の放散は、実質的に、底面と接触するベースを介して起こる。リブを多くの方法で設計し得る。それらを、例えば、上方縁部に対して長手方向に並びに／或いは横方向に走る多数のウェブによって形成し得る。円周に亘って分配された多数の点状隆起領域も代替として考え得る。好ましくは、収容区画の内壁を備える金属スリーブの外壁の全体的な接触領域は、例えば、金属スリーブの外壁の外部表面領域の半分未満である。
【００１６】
バルブを金属スリーブ上に固着するために、バルブは金属接続素子、例えば、中間リングを本質的に有し、それは好ましくは結合方法で金属スリーブのフランジに接続される。中間リングと金属スリーブのフランジとの間の接触領域のサイズは、フランジの加熱に対して、よって、接続区画の上方領域への熱伝達に対する大幅な効果を有する。
【００１７】
本発明の１つの有利な実施態様によれば、バルブに接続される中間リングを固着するために、フランジは少なくとも１つの、好ましくは３つの接触領域を有し、各接触領域はフランジの上側から突出するカムを有することが提供される。
【００１８】
結合操作中、例えば、金属インサートを中間リングに抵抗溶接するときに溶融するカムは、カムに隣接する領域における中間リングと金属スリーブのフランジとの間に所定空隙が残ることを保証するので、中間リングから金属スリーブへの熱伝達は大幅に削減される。その上、カムの使用は、間隙のない溶接結合を保証し、その間隙は中間リングと金属スリーブとの間の接続の信頼性に対して負の作用を有し得る。
【００１９】
金属スリーブを介した、中間リングから収容区画の上方領域への熱伝達をさらに減少するために、本発明のさらなる有利な実施態様によれば、上方縁部は、金属スリーブが中間リングと接触する接触領域の領域内に切取りを有する。これらの切取りは、中間リング及び上方縁部との直接的な接続の故に高温を有する接触領域間の収容区画から増大された距離があるので、上方縁部の僅かな加熱だけが生じることを意味する。その上、本発明のこの実施態様は、中間リングが金属スリーブ上に取り付けられるときに、結合操作中に接触領域内の特定地点で生じる高温が、収容区画の上方縁部の対応する領域に対する損傷を引き起こさないことを保証する。
【００２０】
本発明の１つの有利な実施態様によれば、金属スリーブは、金属スリーブのベース内の対応する開口を通じて、収容区画の底面から突出するピンによって、収容区画内に固着される。本発明に従ったランプソケットのそのような実施態様は、金属スリーブのベースの確実な支承を特に保証し、その結果として、金属スリーブからランプソケット内への熱伝達が追加的に向上する。金属スリーブの如何なる離脱をも確実に阻止するために、ピンを例えば機械的にコーキング処理し或いは熱リベット留めし得る。
【００２１】
金属スリーブのフランジによる収容区画の発明的な遮蔽の他に、金属ライニングとして作用するフランジの故に、プラスチックは反射器の内部に向かって可視的でないので、フランジの使用は、心地良い光学素子ももたらす。
【００２２】
本発明のさらなる有利な実施態様によれば、金属スリーブのベースが底面上に配置される固着バネを所定位置に固定するよう、金属スリーブのベースが設計される。この実施態様の故に、バネはその所定位置から移動し得ず、一部の状況におけると同様に、ランプ内の短絡を招く。バネは、この場合には、本発明に従ったランプソケットを用いて製造されたランプを、ヘッドランプ、ライト、又は、類似物の対応する収容装置内の所定位置に固着するために用いられ、バネの領域はランプソケットから突出し、収容装置の対応するＶ字形状溝と係合するようになる。
【００２３】
図面に示される実施態様の例を参照して本発明を以下にさらに記載するが、本発明はそれに限定されない。
【発明を実施するための最良の形態】
【００２４】
図７は、ランプソケット１上に固着されたバルブ２７を有するランプ２５を実施例によって示している。
【００２５】
バルブ２７はガラス管によって形成され、ガラス管内には２つの白熱コイル２９，３０が配置され、その１つの白熱コイル３０は遮蔽フード２６を備えている。
【００２６】
白熱コイル２９，３０の電気接触のために、後者はガラス管に溶け込んだ導電体２４に接続され、その導電体２４は、バルブ２７から突出している。次いで、バルブ２７はランプソケット１上に固定され、それは以下により詳細に記載される。
【００２７】
図２及び３は、図１に斜視図で示されるランプソケット１の側面図及び正面図をそれぞれ示している。
【００２８】
ランプソケット１は下方接続領域２を有し、それによってランプ２５をヘッドランプ、ライト、又は、類似物（ここでは図示されない）に固定し得る。中空で且つ底部に向かって開放する接続領域２内に配置されているのは、電気接点を構築するために用いられる３つの端子１６である（図４を参照）。
【００２９】
接続領域２の上方に形成されているのは、円形断面を有し且つその上側で開放する中空円筒形の収容区画３である。収容区画３内に配置されているのは、そのベース１９で収容区画３の下側を形成する底面８に対して位置する金属スリーブ４である。その上側に、金属スリーブ４は、上方縁部６から突出する突起７上で収容区画３の上方縁部６に支持される周辺フランジ５を有し、この周辺フランジは、バルブ２７に対して上方縁部６を遮蔽する。
【００３０】
上方縁部６の領域において、収容区画３は、放射状に外向きに突出し、且つ、相互に１２０°の角度間隔で円形収容区画３の周囲に配置された支持ラグ２０をさらに有する。同様に、金属スリーブ４のフランジ５は、フランジの周囲に１２０°の間隔で配置された接触領域１２を有し、この接触領域は、ランプ２５の組立状態において、収容区画３の支持ラグ２０の上に配置される。
【００３１】
ランプの動作期間中、及び、例えば、結合操作によって、中間リング（ここには図示されておらず且つバルブ２７を支持する）を金属スリーブ４に接続するときの双方に、収容区画３内への熱伝達を低減するために、支持ラグ２０は各場合にそれらの上側に切取り１４を有する。よって、間隙が、フランジ５の接触領域１２及び収容区画３の上方縁部６の下方に残る。
【００３２】
図４及び５から見られるように、ブッシュ１８が、底面８からベース１９を通じて金属スリーブ４の内部領域に突出している。加えて、金属スリーブ４は、そのベース１９上に２つの開口を有し、プラスチックピン１５がそこを通じて突出している。金属スリーブ４が収容区画３内に挿入されるや否や、プラスチックピン１５は溶解されるか、或いは、適切な機械的手段によって、例えば、コーキングによって接続されるので、金属スリーブ４と収容区画３との間に恒久的接続が生成される（図６を参照）。
【００３３】
収容区画３の底面８の領域内に配置されるバネ１７を隠すために、金属スリーブ４のベース１９は、適切な方法で設計され、ベース１９の形状は、バネ１７が収容区画３の底面８上の所定位置に留まることを追加的に保証する。
【００３４】
カム１３がフランジ５の上側上の接触領域１２上に配置され、そのカムは金属スリーブ４をバルブ２７の中間リング上に確実に固着する働きをし、カム１３は、例えば、抵抗溶接又はレーザ溶接によって溶解する。中間リングから金属スリーブ４への低い熱伝達があるよう、フランジ５と収容区画３の上方縁部６との間の残部領域には空隙が残る。
【００３５】
金属スリーブ４と収容区画３の上方領域との間の熱伝達をさらに低減するために、収容領域１０は、その内壁１０上に、上方縁部６に対して直交して走り且つ内壁１０から突出するリブを有する。そのリブは、金属スリーブ４の外壁９が内壁１０に完全に位置しないことを意味する。
【図面の簡単な説明】
【００３６】
【図１】ランプソケットを示す斜視図である。
【図２】図１のランプソケットを示す側面図である。
【図３】図１のランプソケットを示す正面図である。
【図４】図３の断面線Ｂ−Ｂに沿って図１のランプソケットを示す断面図である。
【図５】図２の断面線Ａ−Ａに沿って図１のランプソケットを示す断面図である。
【図６】図１のランプソケットの上側部を示す平面図である。
【図７】ランプを示す側面図である。
【図１】
2007517367.tif 000003
【図２】
2007517367.tif 000004
【図３】
2007517367.tif 000005
【図４】
2007517367.tif 000006
【図５】
2007517367.tif 000007
【図６】
2007517367.tif 000008
【図７】
2007517367.tif 000009
【国際調査報告】
2007517367.tif 000010
2007517367.tif 000011
2007517367.tif 000012